(57)【要約】【課題】電気設備の配置スペース及び配管等の配置スペースを含む全体の配置スペースを低減できる電気設備用キャビネットを提供する。【解決手段】電気設備用キャビネット２は、筐体４と、支持部材９と、を備えている。筐体４は、電気部品３を収容する。支持部材９は、筐体４の下面４ａから下方に突出し、筐体４を支持する。支持部材９は、外側面９５ａを有する。外側面９５ａには、電線が挿入される電線挿入部９５ｂが設けられている。下面４ａは、外側面９５ａの法線方向において、外側面９５ａと隣合う左辺４Ｌ又は右辺４Ｒを有する。下面４ａに直交する方向から見て、外側面９５ａは、左辺４Ｌ又は右辺４Ｒよりも下面４ａの中心側に配置されている。【選択図】図４
2020078116.tif 000002
【特許請求の範囲】
【請求項１】
電気部品を収容する筐体と、
前記筐体の下面から下方に突出し、前記筐体を支持する支持部材と、を備え、
前記支持部材は、
電線が挿入される電線挿入部が設けられた外側面を有し、
前記下面は、前記外側面の法線方向において、前記外側面に隣合う端部を有し、
前記下面に直交する方向から見て、前記外側面は、前記端部よりも前記下面の中心側に配置されている、
電気設備用キャビネット。
【請求項２】
前記外側面は第１外側面であって、
前記支持部材は、前記第１外側面とは異なり、開口した第２外側面を更に有し、
前記支持部材は、
前記第２外側面に取り外し可能に取り付けられるカバー部材を有する、
請求項１に記載の電気設備用キャビネット。
【請求項３】
前記電線挿入部は第１電線挿入部であって、
前記カバー部材は、電線が挿入される第２電線挿入部を有する、
請求項２に記載の電気設備用キャビネット。
【請求項４】
前記端部は第１端部であって、
前記下面は、前記カバー部材の外側の主面である外側主面の法線方向において、前記外側主面に隣合う第２端部を有し、
前記下面に直交する方向から見て、前記カバー部材の前記外側主面は、前記第２端部よりも前記下面の中心側に配置されている、
請求項３に記載の電気設備用キャビネット。
【請求項５】
前記支持部材は、
互いに間隔を空けて配置され、前記筐体を支持する一対の分離支持部を有する、
請求項１〜４の何れか１項に記載の電気設備用キャビネット。
【請求項６】
前記支持部材は、
前記外側面の上端部から前記外側面の法線方向に延び、前記下面に接触する延設部を有する、
請求項１〜５の何れか１項に記載の電気設備用キャビネット。
【請求項７】
前記支持部材は、
前記外側面の下端部から前記外側面の法線方向に延び、前記支持部材が配置される配置面に固定される固定部を有する、
請求項１〜６の何れか１項に記載の電気設備用キャビネット。
【請求項８】
前記筐体の内部において前記筐体の内部の天井面から離れて配置された板部を更に備え、
前記板部は、水平面に対して傾斜し、
前記板部の傾斜方向の下端部は、前記筐体の内側面と間隔を空けて配置されている、
請求項１〜７の何れか１項に記載の電気設備用キャビネット。
【請求項９】
前記筐体は、前記下面に前記電線が挿入される貫通孔を有する、
請求項１〜８の何れか１項に記載の電気設備用キャビネット。
【請求項１０】
請求項１〜９の何れか１項に記載の電気設備用キャビネットと、
前記電気部品と、を備える、
電気設備。
【発明の詳細な説明】
【技術分野】
【０００１】
本開示は、一般に電気設備用キャビネット及び電気設備に関し、より詳細には、電気部品を収容する筐体を支持する支持部材を備える電気設備用キャビネット及び電気設備に関する。
【背景技術】
【０００２】
特許文献１に記載の電気設備は、コンソール（筐体）と、チャンネルベース（支持部材）とを備えている。チャンネルベースは、コンソールと床との間に配置され、コンソールを支持する。チャンネルベースの外側面には、ケーブル（電線）をチャンネルベースの内部から外部に取り出すためのケーブル取出穴（電線挿入部）が設けられている。チャンネルベースの外側面は、コンソールの外側面と面一である。
【０００３】
この電気設備では、ケーブルは、コンソールからチャンネルベースの内部を通ってケーブル取出穴からチャンネルベースの外部に取り出される。取り出されたケーブルは、チャンネルベースの外側面に沿って周囲に配置される。なお、このような電気設備では、ケーブル取出穴に配管が接続され、配管を通じて、ケーブルが外部に取り出される場合がある。この場合は、配管がチャンネルベースの周囲に配置される。
【先行技術文献】
【特許文献】
【０００４】
【特許文献１】実開平５−７４１０３号公報
【発明の概要】
【発明が解決しようとする課題】
【０００５】
特許文献１に記載の電気設備では、チャンネルベースの外側面がコンソールの外側面と面一であるため、配管又はケーブル（以下、配管等と記載する。）の配置スペースは、コンソールの外側面よりも外側に配置される。この結果、電気設備を配置するとき、電気設備の配置スペースの他に、配管等の配置スペースを別に確保する必要があり、電気設備の配置スペース及び配管等の配置スペースを含む全体の配置スペースが大きくなるという欠点がある。
【０００６】
本開示は、上記事由に鑑みて、電気設備及び電気設備の周囲に配置される配管等を含む全体の配置スペースを低減できる、電気設備用キャビネット及び電気設備を提供することを目的とする。
【課題を解決するための手段】
【０００７】
本開示の一態様に係る電気設備用キャビネットは、筐体と、支持部材と、を備えている。前記筐体は、電気部品を収容する。前記支持部材は、前記筐体の下面から下方に突出し、前記筐体を支持する。前記支持部材は、外側面を有する。前記外側面には、電線が挿入される電線挿入部が設けられている。前記下面は、前記外側面の法線方向において、前記外側面と隣合う端部を有する。前記下面に直交する方向か見て、前記外側面は、前記端部よりも前記下面の中心側に配置されている。
【０００８】
本開示の一態様に係る電気設備は、前記電気設備用キャビネットと、前記電気部品と、を備えている。
【発明の効果】
【０００９】
本開示は、電気設備及び電気設備の周囲に配置される配管等を含む全体の配置スペースを低減できる、という利点がある。
【図面の簡単な説明】
【００１０】
【図１】図１は、実施形態に係る電気設備を示す斜視図である。
【図２】図２は、同上の電気設備を蓋体を外した状態で示す斜視図である。
【図３】図３は、同上の電気設備の排水キャップを示す斜視図である。
【図４】図４は、同上の電気設備の支持部材の分解状態を示す斜視図である。
【図５】図５は、同上の電気設備を下側から見た斜視図である。
【図６】図６は、変形例１に係る電気設備の断面を示す断面図である。
【図７】図７は、変形例２に係る電気設備の支持部材の分解状態を示す断面図である。
【図８】図８Ａは、変形例３に係る電気設備の支持部材の一例を示す正面図である。図８Ｂは、変形例３に係る電気設備の支持部材の別の一例を示す正面図である。
【発明を実施するための形態】
【００１１】
以下、実施形態に係る電気設備について説明する。下記の実施形態は、本開示の様々な実施形態の例に過ぎない。また、下記の実施形態は、本開示の目的を達成できれば、設計等に応じて種々の変更が可能である。また、以下の説明における前後、左右、上下の方向は、説明のために便宜上使用しているに過ぎず、実施形態に係る電気設備の使用方向を規定する趣旨ではない。
【００１２】
図１〜図５を参照して、本実施形態に係る電気設備１について説明する。
【００１３】
図１及び図２に示すように、本実施形態に係る電気設備１は、例えば屋外に設置され、電気部品３を収容した設備である。電気設備１は、キャビネット２（電気設備用キャビネット）と、電気部品３とを備えている。キャビネット２は、電気部品３を収容する部材である。
【００１４】
キャビネット２は、筐体４と、支持部材９とを備えている。
【００１５】
筐体４は、図２に示すように、電気部品３を収容する部材である。筐体４は、前面に開口５ａを有する箱状の本体５と、本体５の前面の開口５ａを開閉可能に塞ぐ蓋体６と、複数（例えば２つ）の排水キャップ７と、複数（例えば２つ）の閉塞キャップ８とを備えている。本体５及び蓋体６は、何れも鋼板などの金属板から形成されている。
【００１６】
本体５は、例えば直方体形の箱状であり、前壁部５１、後壁部５２、左壁部５３、右壁部５４、上壁部５５及び下壁部５６を有する。前壁部５１、後壁部５２、左壁部５３、右壁部５４、上壁部５５及び下壁部５６はそれぞれ、例えば矩形の板状である。前壁部５１は、開口５１ａを有する。開口５１ａは、矩形状であり、前壁部５１の外周縁を残して前壁部５１の中央を開口する。
【００１７】
また、本体５は、図２に示すように、周壁５７と、外鍔５８とを有する。周壁５７は、前壁部５１の開口５１ａの周縁から前方に突出している。周壁５７は、開口５１ａの周縁の全周にわたって設けられている。外鍔５８は、周壁５７の前端から周壁５７の外周側に突出している。すなわち、外鍔５８は、周壁５７の高さ分の距離を空けて前壁部５１と対向している。外鍔５８における上辺部の左右両端部及び下辺部の左右両端部には、ねじ孔５８ａが設けられている。ねじ孔５８ａの内周面には、ねじ溝が設けられている。
【００１８】
また、本体５の下壁部５６は、複数（例えば２つ）の電線挿入孔５６ｂと、複数（例えば２つ）の排水孔５６ａとを有する。すなわち、筐体４は、下面４ａに、複数（例えば２つ）の電線挿入孔５６ｂと、複数（例えば２つ）の排水孔５６ａとを有する。
電線挿入孔５６ｂは、電線を本体５の外部から内部に挿入するための貫通孔である。複数の電線挿入孔５６ｂは、例えば、下壁部５６の右前部分において、左右方向に並んで配置されている。排水孔５６ａは、本体５の内部に侵入した雨水などを、本体５の内部から外部に排出する貫通孔である。複数の排水孔５６ａは、例えば、下壁部５６の左前角部付近及び右後角部付近に、１つずつ設けられている。
【００１９】
複数の排水キャップ７は、複数の排水孔５６ａを塞ぐ部材である。排水キャップ７は、排水孔５６ａに取り外し可能に装着されている。排水キャップ７は、必要に応じて排水孔５６ａに装着される。各排水キャップ７は、例えば本体５の外側から、排水孔５６ａに装着される。排水キャップ７は、ゴム弾性を有する部材（例えばエラストマー）で形成されている。
【００２０】
排水キャップ７は、図３に示すように、基板部７ａと、筒部７ｂと、排水溝７ｃとを有する。基板部７ａは、排水孔５６ａよりも一回り大きい円形の板状である。筒部７ｂは、排水孔５６ａに挿入される部分であり、例えば円筒状であり、排水孔５６ａの直径と同じ大きさの外径を有する。筒部７ｂは、基板部７ａの上面の中央から上方に立ち上がるように設けられている。排水溝７ｃは、本体５の内部の水分を本体５の内部から外部に排水する溝である。排水溝７ｃは、縦溝部７ｄと、横溝部７ｅとを有する。縦溝部７ｄは、筒部７ｂの外周面において、筒部７ｂの筒軸に沿って筒部７ｂの上端部から下端部まで設けられている。横溝部７ｅは、基板部７ａの上面において、基板部７ａの径方向に沿って縦溝部７ｄの下端部から基板部７ａの外周端まで設けられている。
【００２１】
排水キャップ７は、下壁部５６の下側から排水孔５６ａに装着される。この装着状態では、排水キャップ７は排水孔５６ａを塞ぐ。ただし、排水キャップ７の排水溝７ｃの上端部７ｆは、本体５の内部空間と繋がり、排水溝７ｃの下端部７ｇは、本体５の外側の空間と繋がる。このため、排水キャップ７が排水孔５６ａに装着された状態でも、排水溝７ｃを通じて、本体５の内部の水分を本体５の外部に排水可能である。
【００２２】
複数の閉塞キャップ８は、複数の電線挿入孔５６ｂを塞ぐ部材である。閉塞キャップ８は、電線挿入孔５６ｂに取り外し可能に装着されている。閉塞キャップ８は、例えば本体５の外側から電線挿入孔５６ｂに装着される。閉塞キャップ８は、必要に応じて電線挿入孔５６ｂに装着される。閉塞キャップ８は、ゴム弾性を有する部材（例えばエラストマー）で形成されている。
【００２３】
本体５の内部には、図２に示すように、複数の電気部品３が収容されている。複数の電気部品３は、例えば、変圧器３１、端子台３２、ブレーカ３３、電線固定部材３４及び取付台３５である。変圧器３１は、入力電圧を変圧（昇圧又は降圧）して出力する。端子台３２は、電線挿入孔５６ｂから本体５の内部に挿入された電線が電気的に接続される部品である。ブレーカ３３は、ブレーカ３３内の電路を開状態又は閉状態に切り替える部品である。電線固定部材３４は、電線挿入孔５６ｂから本体５の内部に挿入された電線を固定する部材である。取付台３５は、端子台３２及びブレーカ３３を本体５に固定する部材である。変圧器３１、端子台３２及びブレーカ３３は、所定の接続関係となるように電気的に接続されている。例えば、変圧器３１、端子台３２及びブレーカ３３は、入力用の端子台３２、ブレーカ３３，変圧器３１及び出力用の端子台３２の順に接続されてもよいし、あるいは、入力用の端子台３２、変圧器３１、ブレーカ３３及び出力用の端子台３２の順に接続されてもよい。
【００２４】
変圧器３１は、例えば、本体５の内部空間の左半部分の下壁部５６付近に配置されている。すなわち、変圧器３１のような重い部品は、安定性の観点から下壁部５６付近に配置されている。その際、電線挿入孔５６ｂと干渉しないように、本体５の内部空間のうち、電線挿入孔５６ｂの配置とは反対側の左半部分に配置されている。変圧器３１と下壁部５６との間には隙間が確保されており、変圧器３１と後壁部５２との間にも隙間が確保されている。変圧器３１は、下壁部５６及び後壁部５２に固定されている。
【００２５】
端子台３２及びブレーカ３３は、取付台３５に取り付けられている。取付台３５は、前面パネル３５ａと、複数の脚部３５ｂとを有する。複数の脚部３５ｂは、前面パネル３５ａを後壁部５２の前面（より詳細には前面の右半部分の上部）に固定する。前面パネル３５ａと後壁部５２との間には、間隔が確保されている。前面パネル３５ａは、上側領域３５ｃと下側領域３５ｄとを有する。上側領域３５ｃは、後壁部５２に対して平行であり、下側領域３５ｄは、前方斜め下方向を向くように、後壁部５２に対して傾斜している。
【００２６】
端子台３２は、前面パネル３５ａの下側領域３５ｄの前面に取り付けられている。端子台３２は、例えば２つ設けられており、２つの端子台３２は、左右に並んでいる。端子台３２は、例えば、速結端子台であり、例えば３本の電線接続孔３２ａを有する。電線接続孔３２ａに電線の先端部が挿入されると、電線と端子台３２とが電気的に接続される。端子台３２は、下壁部５６の電線挿入孔５６ｂの上方に配置されている。下側領域３５ｄが前方斜め下方向に向けられていることで、端子台３２の電線接続孔３２ａの中心軸が前方斜め下方向に向けられている。これにより、電線を端子台３２の下側から電線接続孔３２ａに容易に挿入できる。
【００２７】
ブレーカ３３は、前面パネル３５ａの上側領域３５ｃ（すなわち端子台３２の上側の空きスペース）に取り付けられている。より詳細には、ブレーカ３３は、前面パネル３５ａの後面側に配置され、上側領域３５ｃの開口３５ｅから前方に露出している。
【００２８】
電線固定部材３４は、下壁部５６の上面において、電線挿入孔５６ｂの後側に配置されている。電線固定部材３４は、固定部材本体３４ａと、２つの脚部３４ｂとを有する。固定部材本体３４ａは、例えば左右方向（電線挿入孔５６ｂの並び方向）に延びた細長形状である。２つの脚部３４ｂは、固定部材本体３４ａの左右両端部から下方向に延びており、下壁部５６の上面に固定されている。固定部材本体３４ａには、複数の貫通孔３４ｃが設けられている。複数の貫通孔３４ｃは、前後方向に貫通しており、固定部材本体３４ａの長手方向に沿って互いに間隔を空けて並んでいる。
【００２９】
この電線固定部材３４では、複数の貫通孔３４ｃのうち、例えば隣接する２つの貫通孔３４ｃに結束バンドが通される。その結束バンドによって、下壁部５６の電線挿入孔５６ｂからの電線が固定部材本体３４ａに固定される。電線固定部材３４に固定された電線の先端部は、端子台３２に電気的に接続される。上記の電線が電線固定部材３４に固定されることで、上記の電線の荷重で、上記の電線が端子台３３から外れることを抑制できる。
【００３０】
蓋体６は、図１に示すように、前パネル６１と、上側壁６２及び下側壁６３とを有する。前パネル６１は、本体５の開口５１ａを覆う部分である。上側壁６２は、前パネル６１の上端から後方に突出する部分である。下側壁６３は、前パネル６１の下端から後方に突出する部分である。前パネル６１の左端６１ａ及び右端６１ｂは、例えば、円弧状に後方に湾曲している。前パネル６１の左端６１ａの上下両端はそれぞれ、上側壁６２の左端及び下側壁６３の左端に繋がり、前パネル６１の右端の上下両端はそれぞれ、上側壁６２の右端及び下側壁６３の右端に繋がっている。
【００３１】
蓋体６は、４つの貫通孔６ａを有する。４つの貫通孔６ａは、前パネル６１の４つの角部の付近に設けられている。すなわち、４つの貫通孔６ａは、蓋体６の外鍔５８の４つのねじ孔５８ａに対応した位置に設けられている。ねじＮ１が、前パネル６１の前側から貫通孔６ａを通って、その貫通孔６ａに対応するねじ孔５８ａにねじ込まれる。これにより、蓋体６が本体５の前壁部５１の前面に固定される。すなわち、前壁部５１の開口５１ａが蓋体６で塞がれる。蓋体６は、ねじＮ１をねじ孔５８ａから外すことで、本体５から取り外すことが可能である。すなわち、蓋体６は、取り外し可能に本体５に取り付けられている。
【００３２】
支持部材９は、図１及び図４に示すように、筐体４の下面４ａから下方に突出している。支持部材９は、一対の分離支持部９１と、前面カバー９２と、後面カバー９３とを有する。
【００３３】
一対の分離支持部９１、前面カバー９２及び後面カバー９３は何れも、例えば、筐体４よりも耐食性の高い材料（例えばステンレス）で形成されている。なお、一対の分離支持部９１、前面カバー９２及び後面カバー９３は、筐体４と同じ金属で形成され、その表面に、筐体４よりも耐食性の高い部材でメッキが施されてもよい。
【００３４】
一対の分離支持部９１は、筐体４の下面（すなわち下壁部５６の下面）４ａを支持する部材である。一対の分離支持部９１は、下面４ａの長手方向（左右方向）に互いに間隔を空けて配置されている。一対の分離支持部９１は、下面４ａの長手方向の両端付近に配置されている。一対の分離支持部９１は、例えば、互いに鏡像対称となる形に形成されている。以下、一対の分離支持部９１のうち、左側の分離支持部９１を分離支持部９１Ｌとも記載し、右側の分離支持部９１を分離支持部９１Ｒとも記載する。
【００３５】
一対の分離支持部９１の各々は、図４に示すように、支持部本体９５と、延設部９６と、固定部９７とを有する。
【００３６】
支持部本体９５は、例えば矩形の板状である。支持部本体９５の外側主面９５ａ（外側面、第１外側面）は、一対の分離支持部９１の対向方向（左右方向）の外側を向いている。なお、支持部本体９５の外側主面９５ａは、支持部本体９５の両側の主面のうちの外側の主面である。一対の分離支持部９１の対向方向とは、一対の分離支持部９１が互いに対向する方向である。すなわち、左側の分離支持部９１Ｌの外側主面９５ａは、左方向を向いており、右側の分離支持部９１Ｒの外側主面９５ａは、右方向を向いている。一対の分離支持部９１の各々の外側主面９５ａは、例えば、筐体４の下面４ａに対して垂直である。
【００３７】
支持部本体９５は、複数（例えば２つ）の電線挿入部９５ｂ（第１電線挿入部）を有する。電線挿入部９５ｂは、電線が挿入される部分であり、また、電線挿入部９５ｂに挿入される電線が通される配管の一端部が接続される部分である。複数の電線挿入部９５ｂは、支持部本体９５の外側主面９５ａにおいて、横幅方向に並んでいる。
【００３８】
電線挿入部９５ｂは、例えばノックアウト孔である。より詳細には、電線挿入部９５ｂは、ノックアウト部９５ｃを有する。ノックアウト部９５ｃは、機械的衝撃（ノックアウト）を加えると支持部本体９５から外れる部分である。ノックアウト部９５ｃは、支持部本体９５と一体的に形成されている。ノックアウト部９５ｃの輪郭９５ｄには、その輪郭９５ｄの全体にわたって、例えば溝又は切り込みが設けられている。ノックアウト部９５ｃに強い衝撃が加えられると、ノックアウト部９５ｃがその輪郭９５ｄに沿って切り取られ、輪郭９５ｄの内側に貫通孔が形成される。この貫通孔は、支持部本体９５の厚さ方向に貫通している。この貫通孔が、電線が挿入される孔又は配管が接続される孔として機能する。ノックアウト孔である電線挿入部９５ｂは、必要に応じてノックアウト部９５ｃを切り外して貫通孔にされて用いられる。電線挿入部９５ｂはノックアウト孔であるため、必要に応じてノックアウトで孔を空けて用いられる。このため、コストを削減できる。また、電線挿入部９５ｂはノックアウト孔であるため、簡単に孔を空けることができる。
【００３９】
延設部９６は、筐体４の下面４ａに接触する部分である。延設部９６は、支持部本体９５の上辺部（上端部）から支持部本体９５の外側主面９５ａの法線方向（一対の分離支持部９の対向方向の外側）に延びている。すなわち、左側の分離支持部９１Ｌの延設部９６は、左方向に延び、右側の分離支持部９１Ｒの延設部９６は、右方向に延びている。延設部９６は、例えば、支持部本体９５の外側主面９５ａに直交している。延設部９６は、支持部本体９５の上辺部の全体にわたって設けられている。
【００４０】
延設部９６は、複数（例えば２つ）の貫通孔９６ａを有する。貫通孔９６ａは、延設部９６を筐体４の下面４ａに固定するためのねじＮ２が挿入される孔である。複数の貫通孔９６ａは、例えば、延設部９６の長手方向（前後方向）の両端部付近に設けられている。貫通孔９６ａに挿入されたねじＮ２が筐体４の下面４ａのねじ孔にねじ込まれることで、延設部９６は、筐体４の下面４ａに固定される。すなわち、一対の分離支持部９１が筐体４の下面４ａに固定される。
【００４１】
延設部９６は、延設部９６の上面が筐体４の下面４ａに接触するように、筐体４の下面４ａにねじで固定される。このように、延設部９６によって支持部材９と筐体４の下面４ａとの間の接触部分が確保されるため、支持部材９は、筐体４を安定して支持できる。その際、延設部９６は支持部本体９５の上辺部から支持部本体９５の外側主面９５ａが対向する方向に延びている。このため、一対の分離支持部９１の各々の延設部９６の間の間隔を極力大きく確保でき、これにより、一対の分離支持部９１は、筐体４を一層安定して支持できる。
【００４２】
固定部９７は、電気設備１が配置される配置面に固定される部分である。固定部９７は、支持部本体９５の下辺部（下端部）から支持部本体９５の外側主面９５ａの法線方向（一対の分離支持部９１の対向方向の外側）に延びている。すなわち、左側の分離支持部９１Ｌの固定部９７は、左方向に延び、右側の分離支持部９１Ｒの固定部９７は、右方向に延びている。固定部９７は、例えば、支持部本体９５の外側主面９５ａに直交している。固定部９７は、支持部本体９５の下辺部の全体にわたって設けられている。
【００４３】
固定部９７は、複数（例えば２つ）の貫通孔９７ａを有する。貫通孔９７ａは、固定部９７を上記の配置面に固定するためのねじが挿入される孔である。複数の貫通孔９７ａは、固定部９７の長手方向（前後方向）の両端部の付近に設けられている。貫通孔９７ａは、例えば、固定部９７の長手方向に延びた長孔である。貫通孔９７ａの開口面の長手方向（前後方向）の一端部は、固定部９７の長手方向（前後方向）の端部で開放している。貫通孔９７ａに挿入されたねじが上記の配置面のねじ孔にねじ込まれることで、固定部９７は、上記の配置面に固定される。すなわち、一対の分離支持部９１が上記の配置面に固定される。
【００４４】
固定部９７は、固定部９７の下面が上記の配置面に接触するように、上記の配置面にねじで固定される。このように、固定部９７によって支持部材９が上記の配置面に固定されるため、支持部材９を安定して上記の配置面に配置できる。その際、固定部９７は支持部本体９５の下辺部から支持部本体９５の外側主面９５ａが対向する方向に延びているため、一対の分離支持部９１の各々の固定部９７の間の間隔を極力大きく確保でき、これにより、支持部材９は、上記の配置面に一層安定して配置できる。
【００４５】
このように構成された一対の分離支持部９１（支持部材９）では、図５に示すように、筐体４の下面４ａに直交する方向から見て、左側の分離支持部９１Ｌの支持部本体９５の外側主面９５ａ（外側面）は、下面４ａの左辺４Ｌ（端部）よりも下面４ａの中心側に配置されている。これにより、左側の分離支持部９１Ｌの外側主面９５ａと左辺４Ｌとの間のスペースＳ１を、左側の分離支持部９１Ｌの電線挿入部９５ｂに挿入される電線又は電線挿入部９５ｂに接続される配管の配置スペースとして利用できる。なお、下面４ａの左辺４Ｌは、左側の分離支持部９１Ｌの外側主面９５ａの法線方向（左方向）において、下面４ａにおける、左側の分離支持部９１Ｌの外側主面９５ａと隣合う端部である。
【００４６】
同様に、筐体４の下面４ａに直交する方向から見て、右側の分離支持部９１Ｒの外側主面９５ａ（外側面）は、下面４ａの右辺４Ｒ（端部）よりも下面４ａの中心側に配置されている。これにより、右側の分離支持部９１Ｒの外側主面９５ａと右辺４Ｒとの間のスペースＳ２を、右側の分離支持部９１の電線挿入部９５ｂに挿入される電線又は電線挿入部９５ｂに接続される配管の配置スペースとして利用できる。なお、下面４ａの右辺４Ｒは、右側の分離支持部９１Ｒの外側主面９５ａの法線方向（右方向）において、下面４ａにおける、右側の分離支持部９１の外側主面９５ａと隣合う端部である。
【００４７】
支持部材９は、図４に示すように、２つの外側面９９Ｌ，９９Ｒ（第１外側面）と、開口前面９９Ｆ（第２外側面）９９Ｆと、開口後面９９Ｋ（第２外側面）とを有する。
【００４８】
２つの外側面９９Ｌ，９９Ｒは、一対の分離支持部９１の各々の外側主面９５ａで構成されている。すなわち、左側の外側面９９Ｌは、左側の分離支持部９１Ｌの外側主面９５ａで構成され、右側の外側面９９Ｒは、右側の分離支持部９１Ｒの外側主面９５ａで構成されている。開口前面９９Ｆは、一対の分離支持部９１の各々の支持部本体９５の前縁の間の開口である。開口後面９９Ｋは、一対の分離支持部９１の各々の支持部本体９５の後縁の間の開口である。開口前面９９Ｆ及び開口後面９９Ｋは、２つの外側面９９Ｌ，９９Ｒと異なる外側面である。
【００４９】
前面カバー９２は、図４に示すように、支持部材９の開口前面９９Ｆを塞ぐ部材であり、開口前面９９Ｆに取り外し可能に取り付けられている。前面カバー９２は、カバー本体９２Ｈ、左壁部９２Ｌ、右壁部９２Ｒ、上壁部９２Ｕ及び下壁部９２Ｄを有する。カバー本体９２Ｈは、開口前面９９Ｆと同形同大の矩形の板状である。左壁部９２Ｌ、右壁部９２Ｒ、上壁部９２Ｕ及び下壁部９２Ｄはそれぞれ、カバー本体９２Ｈの左辺、右辺、上辺及び下辺から後方に延びている。左壁部９２Ｌ、右壁部９２Ｒ、上壁部９２Ｕ及び下壁部９２Ｄによって、前面カバー９２の強度が向上されている。
【００５０】
左壁部９２Ｌ及び右壁部９２Ｒはそれぞれ、複数（例えば２つ）の貫通孔９２ａを有する。左壁部９２Ｌの貫通孔９２ａは、左壁部９２Ｌを左側の分離支持部９１Ｌの外側主面９５ａの前縁に固定するためのねじが挿入される孔である。右壁部９２Ｒの貫通孔９２ａは、右壁部９２Ｒを右側の分離支持部９１Ｒの外側主面９５ａの前縁に固定するためのねじが挿入される孔である。なお、一対の分離支持部９１の各々の外側主面９５ａの前縁には、上記のねじがねじ込まれるねじ孔９５ｅが設けられている。
【００５１】
このように構成された前面カバー９２は、図１に示すように、一対の分離支持部９１の各々の前辺の間に跨るように配置される。この状態では、カバー本体９２Ｈが開口前面９９Ｆを塞ぐ。また、前面カバー９２の左壁部９２Ｌは、左側の分離支持部９１Ｌの外側主面９５ａの前縁に重なり、前面カバー９２の右壁部９２Ｒは、右側の分離支持部９１Ｒの外側主面９５ａの前縁に重なる。この状態で、ねじＮ３が、左壁部９２Ｌの貫通孔９２ａ（図４参照）に挿入されて左側の分離支持部９１Ｌのねじ孔９５ｅ（図４参照）にねじ込まれる。同様に、ねじが、右壁部９２Ｒの貫通孔９２ａに挿入されて右側の分離支持部９１Ｒのねじ孔９５ｅにねじ込まれる。これにより、前面カバー９２が開口前面９９Ｆに固定される。なお、ねじＮ３をねじ孔９５ｅから外すことで、前面カバー９２を開口前面９９Ｆから外すことができる。すなわち、前面カバー９２は、取り外し可能に開口前面９９Ｆに取り付けられている。
【００５２】
後面カバー９３は、図４に示すように、支持部材９の開口後面９９Ｋを塞ぐ部材であり、開口後面９９Ｋに取り外し可能に取り付けられている。後面カバー９３は、カバー本体９３Ｈ、上壁部９３Ｕ及び下壁部９３Ｄを有する。カバー本体９３Ｈは、開口後面９９Ｋと同形同大の矩形の板状である。上壁部９３Ｕ及び下壁部９３Ｄはそれぞれ、カバー本体９３Ｈの上辺及び下辺から後方に延びている。上壁部９３Ｕ及び下壁部９３Ｄによって、後面カバー９３の強度が向上されている。
【００５３】
カバー本体９３Ｈは、複数の貫通孔９３ａと、複数（例えば２つの）の電線挿入部９３ｂ（第２電線挿入部）とを有する。
【００５４】
複数の貫通孔９３ａは、後面カバー９３を一対の分離支持部９１に固定するためのねじが挿入される孔である。複数の貫通孔９３ａは、後面カバー９３の左縁の上下両端部付近、及び、後面カバー９３の右縁の上下両端部付近に設けられている。
【００５５】
なお、一対の分離支持部９１の各々の支持部本体９５は、後面カバー９３が固定される複数（例えば２つ）の固定片９５ｆを有する。複数の固定片９５ｆは、支持部本体９５の内側主面９５ｈからその内側主面９５ｈが対向する方向に突出している。すなわち、左側の分離支持部９１Ｌの支持部本体９５の固定片９５ｆは、支持部本体９５の内側主面９５ｈから右方向に突出し、右側の分離支持部９１Ｒの支持部本体９５の固定片９５ｆは、支持部本体９５の内側主面９５ｈから左方向に突出している。なお、支持部本体９５の内側主面９５ｈは、支持部本体９５の両側の主面のうちの内側の主面である。
【００５６】
複数の固定片９５ｆは、支持部本体９５の後辺よりも前側に配置されている。また、複数の固定片９５ｆは、支持部本体９５の後辺の長手方向（上下方向）に沿って配置されている。複数の固定片９５ｆの各々は、例えば、支持部本体９５から片状に切り出され、その片状の部分が内側に折り曲げられることで、形成されている。固定片９５ｆは、ねじ孔９５ｇを有する。ねじ孔９５ｇは、後面カバー９３を固定するためのねじがねじ込まれるねじ孔である。
【００５７】
電線挿入部９３ｂは、電線が挿入される部分であり、また、電線挿入部９３ｂに挿入される電線が通される配管の一端部が接続される部分である。複数の電線挿入部９３ｂは、後面カバー９３のカバー本体９３Ｈにおいて、横幅方向（左右方向）に並んでいる。電線挿入部９３ｂは、例えばノックアウト孔である。ノックアウト孔は、電線挿入部９５ｂで説明したノックアウト孔と同様に構成されている。ノックアウト孔である電線挿入部９３ｂは、必要に応じてノックアウト部を切り外して貫通孔にされて用いられる。
【００５８】
このように構成された後面カバー９３は、図１に示すように、一対の分離支持部９１の間において、一対の分離支持部９１の各々の固定片９５ｆの後面に当接するように配置される。この状態では、カバー本体９３Ｈが開口後面９９Ｋを塞ぐ。この状態で、ねじＮ４が、カバー本体９３Ｈの貫通孔９３ａ（図４参照）に挿入されて固定片９５ｆのねじ孔９５ｇにねじ込まれる。これにより、後面カバー９３が開口後面９９Ｋに固定される。なお、ねじＮ４をねじ孔９５ｇから外すことで、後面カバー９３を開口後面９９Ｋから外すことができる。すなわち、後面カバー９３は、取り外し可能に開口後面９９Ｋに取り付けられている。
【００５９】
また、図５に示すように、筐体４の下面４ａに直交する方向から見て、後面カバー９３の外側主面（後面）９３ｃは、下面４ａの後辺４Ｋ（端部）よりも下面４ａの中心側に配置されている。これにより、外側主面９３ｃと後辺４Ｋとの間のスペースＳ３を、電線挿入部９３ｂに挿入される電線又は電線挿入部９３ｂに接続される配管の配置スペースとして利用できる。なお、下面４ａの後辺４Ｋは、後面カバー９３の外側主面（後面）９３ｃの法線方向（後方向）において、下面４ａにおける後面カバー９３の外側主面９３ｃと隣合う端部である。
【００６０】
この電気設備１では、支持部材９の電線挿入部９５ｂ，９３ｂが、必要に応じて、機械的衝撃を与えられることで貫通孔にされる。また、筐体４の下面４ａの電線挿入孔５６ｂから必要に応じて閉塞キャップ８が取りはずされる。そして、電線が電線挿入部９５ｂ又は９３ｂを通じて支持部材９の外部から内部に挿入されて筐体４の下面４ａの電線挿入孔５６ｂから筐体４の内部に挿入される。そして、電線の端部が端子台３２に電気的に接続される。また、その電線が電線固定部材３４に結束バンドで固定される。
【００６１】
そして、電線挿入部９５ｂに挿入された電線のうち電気設備１の外側に引き出された部分は、支持部材９の外側主面９５ａの周囲に配置される。その際、その引き出された部分は、外側主面９５ａと、筐体４の底面４ａにおける外側主面９５ａとの対向する部分（左辺４Ｌ又は右辺４Ｒ）との間のスペースＳ１，Ｓ２を利用して配置される。また、電線挿入部９５ｂに上記の電線を通す配管が接続され、その配管が屈曲されて外側主面９５ａに沿って配置されてもよい。この場合は、スペースＳ１，Ｓ２を利用して上記の配管を配置できる。これにより、電気設備１の設置スペース、及び、上記の電線又は上記の配管の配置スペースを含む全体の配置スペースを低減できる。
【００６２】
同様に、電線挿入部９３ｂに挿入された電線のうち電気設備１の外側に引き出された部分は、支持部材９の後面９３ｃの周囲に配置される。その際、その引き出された部分は、後面９３ｃと、筐体４の底面４ａにおける後面９３ｃとの対向する部分（後辺４Ｋ）との間のスペースＳ３を利用して配置される。また、電線挿入部９３ｂに上記の電線を通す配管が接続され、その配管が屈曲されて後面９３ｃに沿って配置されてもよい。この場合は、スペースＳ３を利用して上記の配管を配置できる。これにより、電気設備１の設置スペース、及び、上記の電線又は上記の配管の配置スペースを含む全体の配置スペースを低減できる。
【００６３】
（変形例）
以下、上記の実施形態の変形例を説明する。以下の変形例は、組み合わせて実施されてもよい。なお、以下の変形例の説明では、上記の実施形態と同じ構成要素については、同じ符号を付して説明を省略する場合がある。
【００６４】
（変形例１）
上記の実施形態において、図６に示すように、庇部１００（板部）が更に備えられもよい。庇部１００は、筐体４の天井面４ｄから落ちる水滴を、電気部品３を避けて、筐体４の底面（下壁部５６の上面）４ｂに誘導する部材である。庇部１００は、筐体４の内部空間において、変圧器３１及び取付台３５の上側のスペースに配置される。庇部１００は、例えば鋼板又はステンレスなどの金属で形成されている。
【００６５】
庇部１００は、庇本体１０１と、上側固定部１０２と、下側固定部１０３とを有する。庇本体１０１は、筐体４の天井面４ｄと同程度の大きさの例えば矩形の板状（例えば平板状）である。庇本体１０１は、筐体４の内部の天井面４ｄから離れて配置されている。庇本体１０１は、水平面に対して傾斜している。本実施形態では、庇本体１０１は、後ろ斜め下方向に傾斜している。庇本体１０１は、筐体４の内部空間の上側のスペースにおいて、下壁部５６に直交する方向から見て、変圧器３１、端子台３２及びブレーカ３３を覆っている。
【００６６】
上側固定部１０２及び下側固定部１０３は、筐体４に固定される部分である。上側固定部１０２及び下側固定部１０３はそれぞれ、例えば矩形の板状である。上側固定部１０２は、庇本体１０１の上辺から上方に延びている。上側固定部１０２は、例えば、庇本体１０１の上辺全体にわたって設けられている。上側固定部１０２の前面は、筐体４の前壁部５１の内側主面の上縁に接触している。この状態で、上側固定部１０２は、ねじ等で前壁部５１に固定されている。
【００６７】
下側固定部１０３は、庇本体１０１の下辺から下方に延びている。下側固定部１０３は、例えば、庇本体１０１の下辺１０１ａ全体にわたって設けられている。庇本体１０１の下辺１０１ａ及び下側固定部１０３は、筐体４の後壁部５２と間隔を空けて配置されている。この状態で、下側固定部１０３は、棒状の取付部材１０４で後壁部５２に固定されている。下側固定部１０３は、庇部１００の傾斜方向の端部である。
【００６８】
この庇部１００では、筐体４の天井面４ｄから落ちた水滴は、庇本体１０１の上面に当たり、庇本体１０１の上面を庇本体１０１の下辺側に向かって流れる。そして、水滴は、下側固定部１０３と後壁部５２との間を通って、筐体４の底面４ｂに落ちる。これにより、天井面４ｄから落ちた水滴が電気部品３（変圧器３１、端子台３２及びブレーカ３３）に降りかかることを低減できる。筐体４の底面４ｂに落ちた水滴は、排水キャップ７（図１参照）が外されている場合は、下壁部５６の排水孔５６ａ（図１参照）から筐体４の外部に排出される。また、排水キャップ７が外されていない場合は、排水キャップ７の排水溝７ｃ（図３参照）から筐体４の外部に排出される。
【００６９】
なお、この変形例では、庇部１００は、後ろ斜め下方向に傾斜するが、庇部１００が傾斜する方向は、後ろ斜め下方向に限定されない。庇部１００が傾斜する方向は、例えば、前斜め下方向でもよいし、左斜め下方向でもよいし、右斜め下方向でもよい。
【００７０】
（変形例２）
本変形例は、図７に示すように、上記の実施形態と比べて、前面カバー９２と支持部材９との取付構造が異なっている。すなわち、本変形例の前面カバー９２は、上記の実施形態の前面カバー９２において、左壁部９２Ｌ及び右壁部９２Ｒの貫通孔９２ａが省略されている。
【００７１】
また、本変形例の前面カバー９２は、上記の実施形態において、２つの貫通孔９２ｂと、２つの引掛片９２ｃと、２つの切欠部９２ｄとを更に有する。２つの貫通孔９２ｂは、例えば、カバー本体９２Ｈの左縁上部及び右縁上部に設けられている。２つの切欠部９２ｄは、例えば、矩形状であり、カバー本体９２Ｈの左下角部及び右下角部に設けられている。２つの引掛片９２ｃは、２つの切欠部９２ｄに設けられている。すなわち、各引掛片９２ｃは、切欠部９２ｄの上辺から後方に段状に曲がり、下方に延びている。
【００７２】
また、本変形例の一対の分離支持部９１は、上記の実施形態の一対の分離支持部９１において、ねじ孔９５ｅが省略されている。また、本変形例の一対の分離支持部９１は、上記の実施形態の一対の分離支持部９１において、固定壁１０５を更に有する。固定壁１０５は、一対の分離支持部９１の各々の支持部本体９５に設けられている。固定壁１０５は、支持部本体９５の前辺から支持部本体９５の内側主面９５ｈが対向する方向に延びている。また、固定壁１０５は、例えば、支持部本体９５の前辺全体にわたって設けられている。
【００７３】
固定壁１０５は、ねじ孔１０５ａと、切欠部１０５ｂとを有する。ねじ孔１０５ａは、固定壁１０５の上部（すなわちカバー本体９２Ｈの貫通孔９２ｂに対応する位置）に設けられている。切欠部１０５ｂは、固定壁１０５の下部（すなわちカバー本体９２Ｈの引掛片９２ｃに対応する位置）に設けられている。
【００７４】
この変形例では、カバー本体９２Ｈの２つの引掛片９２ｃが、前側から、一対の分離支持部９１の各々の固定壁１０５の切欠部１０５ｂに差し込まれて、切欠部１０５ｂの下縁の後側に引っ掛けられる。そして、カバー本体９２Ｈの左縁及び右縁がそれぞれ、一対の分離支持部９１の各々の固定壁１０５の前面に重ねられる。この状態で、ねじがカバー本体９２Ｈの貫通孔９２ｂを通って固定壁１０５のねじ孔１０５ａにねじ込まれる。これにより、前面カバー９２が開口前面９９Ｆに取り付けられる。なお、ねじをねじ孔１０５ａから外して、引掛片９２ｃを切欠部１０５ｂから外すことで、前面カバー９２を開口前面９９Ｆから取り外すことができる。
【００７５】
なお、本変形例において、貫通孔９２ｂの位置は、カバー本体９２Ｈの左右縁の上部に限定されず、例えば、カバー本体９２Ｈの左右縁の下部に設けられてもよい。切欠部９２ｄ及び引掛片９２ｃの位置は、カバー本体９２Ｈの左右縁の下部に限定されず、例えば、カバー本体９２Ｈの左右縁の上部でもよい。また、ねじ孔１０５ａの位置は、固定壁１０５の上部に限定されず、例えば固定壁１０５の下部でもよい。切欠部１０５ｂの位置は、固定壁１０５の下部に限定されず、例えば、固定壁１０５の上部でもよい。
【００７６】
（変形例３）
上記の実施形態では、支持部材９の延設部９６は、分離支持部９１の支持部本体９５の外側主面９５ａが対向する方向に延びるが、図８Ａに示すように、支持部本体９５の内側主面９５ｈが対向する方向に延びてもよい。また、上記の実施形態では、固定部９７は、支持部本体９５の外側主面９５ａが対向する方向に延びるが、図８Ｂに示すように、支持部本体９５の内側主面９５ｈが対向する方向に延びてもよい。
【００７７】
（まとめ）
第１の態様に係る電気設備用キャビネット（２）は、筐体（４）と、支持部材（９）と、を備えている。筐体（４）は、電気部品（３）を収容する。支持部材（９）は、筐体（４）の下面（４ａ）から下方に突出し、筐体（４）を支持する。支持部材（９）は、外側面（９５ａ）を有する。外側面（９５ａ）には、電線が挿入される電線挿入部（９５ｂ）が設けられている。下面（４ａ）は、外側面（９５ａ）の法線方向において、外側面（９５ａ）と隣合う端部（４Ｌ又は４Ｒ）を有する。下面（４ａ）に直交する方向から見て、外側面（９５ａ）は、端部（４Ｌ又は４Ｒ）よりも下面（４ａ）の中心側に配置されている。
【００７８】
この構成によれば、筐体（４）の下面（４ａ）に直交する方向から見て、支持部材（９）の外側面（９５ａ）は、下面（４ａ）の端部（４Ｌ又は４Ｒ）よりも下面（４ａ）の中心側に配置される。このため、下面（４ａ）に直交する方向から見て、外側面（９５ａ）と端部（４Ｌ又は４Ｒ）との間のスペース（Ｓ１，Ｓ２）を、電線挿入部（９５ｂ）に挿入される電線の配置スペース、又は、電線挿入部（９５ｂ）に接続された配管の配置スペースに利用できる。これにより、電気設備（１）の設置スペース、及び、上記の電線又は上記の配管の配置スペースを含む全体の配置スペースを低減できる。
【００７９】
第２の態様に係る電気設備用キャビネット（２）は、第１の態様において、外側面（９５ａ）は第１外側面（９５ａ）である。支持部材（９）は、第１外側面（９５ａ）とは異なり、開口した第２外側面（９９Ｆ，９９Ｋ）を更に有する。支持部材（９）は、カバー部材（９２，９３）を有する。カバー部材（９２，９３）は、第２外側面（９９Ｆ，９９Ｋ）に取り外し可能に取り付けられる。
【００８０】
この構成によれば、支持部材（９）の第２外側面（９９Ｆ，９９Ｋ）を、必要に応じて、カバー部材（９２，９３）によって塞ぐことができる。すなわち、必要に応じて、カバー部材を第２外側面（９９Ｆ，９９Ｋ）に設けることができるため、コストを削減できる。また、カバー部材（９２，９３）は、取り外し可能であるため、電線を電気設備（１）に挿入する作業時は、カバー部材（９２，９３）を外すことで、作業性を向上できる。
【００８１】
第３の態様に係る電気設備用キャビネット（２）は、第２の態様において、電線挿入部（９５ｂ）は第１電線挿入部（９５ｂ）である。カバー部材（９２，９３）は、電線が挿入される第２電線挿入部（９３ｂ）を有する。
【００８２】
この構成によれば、カバー部材（９２，９３）の電線挿入部（９３ｂ）を通じて支持部材（９）の外部から内部に電線を挿入することができる。
【００８３】
第４の態様に係る電気設備用キャビネット（２）は、第３の態様において、端部（４Ｌ又は４Ｒ）は第１端部（４Ｌ又は４Ｒ）である。筐体（４）の下面（４ａ）は、第２端部（４Ｋ）を有する。第２端部（４Ｋ）は、カバー部材（９３）の外側の主面である外側主面（９３ｃ）の法線方向において、外側主面（９３ｃ）と隣合う。下面（４ａ）に直交する方向から見て、カバー部材（９３）の外側の主面（９３ｃ）は、第２端部（４Ｋ）よりも下面（４ａ）の中心側に配置されている。
【００８４】
この構成によれば、筐体（４）の下面（４ａ）に直交する方向から見て、カバー部材（９３）の外側の主面（９３ｃ）は、第２端部（４Ｋ）よりも下面（４ａ）の中心側に配置されている。このため、下面（４ａ）に直交する方向から見て、カバー部材（９３）の外側の主面（９３ｃ）と第２端部（４Ｋ）との間のスペース（Ｓ３）を、第２電線挿入部（９３ｂ）から挿入される電線の配置スペースに利用できる。また、スペース（Ｓ３）を、第２電線挿入部（９３ｂ）に接続された配管の配置スペースに利用できる。これにより、電気設備（１）の設置スペース、及び、上記の電線又は配管の配置スペースを含む全体の配置スペースを低減できる。
【００８５】
第５の態様に係る電気設備用キャビネット（２）は、第１〜４の態様の何れか１つの態様において、支持部材（９）は、一対の分離支持部（９１）を有する。一対の分離支持部（９１）は、互いに間隔を空けて配置され、筐体（４）を支持する。
【００８６】
この構成によれば、一対の分離支持部（９１）は、互いに間隔を空けて配置された状態で筐体（４）を支持するため、筐体（４）を安定して支持できる。
【００８７】
第６の態様に係る電気設備用キャビネット（２）は、第１〜５の態様の何れか１つの態様において、支持部材（９）は、延設部（９６）を有する。延設部（９６）は、外側面（９５ａ）の上端部から外側面（９５ａ）の法線方向に延び、下面（４ａ）に接触する。
【００８８】
この構成によれば、延設部（９６）によって筐体（４）をより一層安定して支持できる。
【００８９】
第７の態様に係る電気設備用キャビネット（２）は、第１〜６の態様の何れか１つの態様において、支持部材（９）は、固定部（９７）を有する。固定部（９７）は、外側面（９５ａ）の下端部から外側面（９５ａ）の法線方向に延び、支持部材（９）が配置される配置面に固定される。
【００９０】
この構成によれば、固定部（９７）によって支持部材（９）を配置面に安定して配置できる。
【００９１】
第８の態様に係る電気設備用キャビネット（２）は、第１〜７の態様の何れか１つの態様において、板部（１００）を更に備えている。板部（１００）は、筐体（４）の内部において筐体（４）の内部の天井面（４ｄ）から離れて配置されている。板部（１００）は、水平面に対して傾斜している。板部（１００）の傾斜方向の下端部は、筐体（４）の側壁部（５２）と間隔を空けて配置されている。
【００９２】
この構成によれば、板部（１００）によって、筐体（４）の天井面（４ｄ）から落ちてくる水滴を受け止めて筐体（４）の側壁部（５２）の側に誘導し、筐体（４）の側壁部（５２）の付近から筐体（４）の底面（４ｂ）に落とすことができる。これにより、天井面（４ｄ）から落ちてくる水滴が筐体（４）内の電気部品（３）に接触することを抑制できる。
【００９３】
第９の態様に係る電気設備用キャビネット（２）は、第１〜８の態様の何れか１つの態様において、筐体（４）は、下面（４ａ）に電線挿入孔（５６ｂ）を有する。電線挿入孔（５６ｂ）には、電線が挿入される。
【００９４】
この構成によれば、電線挿入孔（５６ｂ）を通じて、電線を、筐体（４）の底面（４ａ）から筐体（４）の内部に挿入することができる。
【００９５】
第１０の態様に係る電気設備（１）は、第１〜９の態様の何れか１つの態様に係る電気設備用キャビネット（２）と、電気部品（３）と、を備える。
【００９６】
この構成によれば、上記の電気設備用キャビネット（２）の効果を有する電気設備（１）を提供できる。
【符号の説明】
【００９７】
１  電気設備
２  キャビネット（電気設備用キャビネット）
３  電気部品
４  筐体
４ａ  下面
４ｂ  底面
４ｄ  天井面
４Ｋ  後辺（端部）
４Ｌ  左辺（端部）
４Ｒ  右辺（端部）
９  支持部材
５６ｂ  電線挿入孔
９１  一対の分離支持部
９２  前面カバー（カバー部材）
９３  後面カバー（カバー部材）
９３ｂ  電線挿入部（第２電線挿入部）
９３ｃ  後面（外側主面）
９５ａ  外側主面（外側面、第１外側面）
９５ｂ  電線挿入部
９６  延設部
９７  固定部
９９Ｆ  開口前面（第２外側面）
９９Ｋ  開口後面（第２外側面）
１００  板部
【図１】
2020078116.tif 000003
【図２】
2020078116.tif 000004
【図３】
2020078116.tif 000005
【図４】
2020078116.tif 000006
【図５】
2020078116.tif 000007
【図６】
2020078116.tif 000008
【図７】
2020078116.tif 000009
【図８】
2020078116.tif 000010